(57)【要約】【課題】充填した液化ガス内に吸い上げ芯を垂下状態で保持した携帯コンロガスボンベにおいて、吸い上げ芯の不測の脱落を防止する。【解決手段】吸い上げ芯を保持する弁装置２３の下部の保持部２３ｂに、コイルばね部材８２を固定して、コイルばね部材８２の囲繞部８２ｃで、吸い上げ芯２８を取り巻くように囲繞する。コイルばね部材８２は、液化ガスの流通を許容する隙間８２ａを有した螺旋状である。このため、液化ガス１２が大きく揺れた場合でも、コイルばね部材８２により吸い上げ芯２８の動きを規制し、保持部２３ｂからの脱落を防止できる。【選択図】図３
2008261381.tif 000002
【特許請求の範囲】
【請求項１】
容器の上端部に設けられた弁装置の下部に、容器内に充填された液化ガスを吸い上げる吸い上げ芯が垂下状態で保持された携帯コンロ用ガスボンベであって、
上記吸い上げ芯に、吸い上げ芯の容器体内での動きを規制する規制手段が付設された
携帯コンロ用ガスボンベ。
【請求項２】
前記規制手段が弁装置の下部に取付けられた
請求項１に記載の携帯コンロ用ガスボンベ。
【請求項３】
前記規制手段が、吸い上げ芯を取り巻く筒状又は環状をなす囲繞部を有するものである
請求項１または請求項２に記載の携帯コンロ用ガスボンベ。
【請求項４】
前記囲繞部が、液化ガスの流通を許容する隙間を有した螺旋状に形成された
請求項３に記載の携帯コンロ用ガスボンベ。
【請求項５】
前記囲繞部に、液化ガスの流通を許容する隙間が形成された
請求項３に記載の携帯コンロ用ガスボンベ。
【発明の詳細な説明】
【技術分野】
【０００１】
この発明は、たとえば一人用や少人数用の鍋料理などを提供するときに用いることができるような携帯コンロに使用される携帯コンロ用ガスボンベに関する。
【背景技術】
【０００２】
携帯コンロ用ガスボンベとして本出願人は、下記特許文献１に開示されたものを提案している。
【０００３】
この携帯コンロ用ガスボンベは、携帯コンロの下面に対して下から嵌め込んで食卓の上面から浮かせた状態に取付けて使用するもので、図８に示したように容器１０１の上端開口部に弁装置１０２を備えて構成されている。容器１０１内には液化ガス１０３が充填され、この液化ガス１０３を吸い上げ芯１０４で吸い上げて、気化されたガスを弁装置１０２のノズル部１０２ａから選択的に放出する構造である。
【０００４】
吸い上げ芯１０４は、弁装置１０２の下部に形成された筒状の保持部１０２ｂに対する差し込みにより、弁装置１０２から垂れ下がった状態で保持される。吸い上げ芯１０４の長さは、下端が容器１０１の内底面に当接するように設定されている。
【０００５】
吸い上げ芯１０４は差し込みだけで保持されているが、吸い上げ芯１０４の下端が容器１０１の内底面に当接しているので吸い上げ芯１０４が保持部１０２ｂから外れることは基本的にはない。しかし、たとえば運搬する時やガスの残量を確かめるために振った時、不測に落とした時など、図８に仮想線で示したように容器１０１内の液化ガス１０３が大きく揺れた場合に、液化ガス１０３の揺れに伴って吸い上げ芯１０４が動き、保持部１０２ｂから外れる可能性が考えられる。
【特許文献１】特開２００４−２４５４００号公報
【発明の開示】
【発明が解決しようとする課題】
【０００６】
そこで、この発明は、吸い上げ芯が不測に脱落することのないようにすることを主たる課題とする。
【課題を解決するための手段】
【０００７】
そのための手段は、容器の上端部に設けられた弁装置の下部に、容器内に充填された液化ガスを吸い上げる吸い上げ芯が垂下状態で保持された携帯コンロ用ガスボンベであって、上記吸い上げ芯に、吸い上げ芯の容器体内での動きを規制する規制手段が付設された携帯コンロ用ガスボンベである。規制手段は、弁装置に取付けられるものであるも、容器に設けられるものであるもいずれでもよく、吸い上げ芯に添わせるように付属的に取付けるとよい。
【０００８】
規制手段は、容器内において吸い上げ芯の動きを規制する。容器内に液化ガスが充填された状態であって、液化ガスが揺れても、揺れに関わりなく動きを規制する。このため、揺れたり振ったりした時でも吸い上げ芯は弁装置から脱落することはない。
【発明の効果】
【０００９】
以上のように、この発明によれば、吸い上げ芯の脱落を防止して、使用可能な状態を維持できる。
【発明を実施するための最良の形態】
【００１０】
吸い上げ芯が不測に脱落することのないようにするという目的を、吸い上げ芯に、吸い上げ芯の容器体内での動きを規制する規制手段を付設するという構成にて実現した。
【実施例】
【００１１】
この発明の一実施例態を、以下図面を用いて説明する。  
図１は、携帯コンロ用ガスボンベ１１（以下、「ボンベ」という。）の構成を示す片側断面図であり、図２は、携帯コンロ５１（以下、「コンロ」という。）の構成を示す断面図である。
【００１２】
ボンベ１１は、コンロ本体６１と、該コンロ本体６１を所定高さに支持する支持台７１とを有した上記コンロ５１の下面に着脱可能に取付けられるもので、コンロ５１に対する取付け状態において、ボンベ１１は支持台７１に囲まれ、また、食卓の上面から浮いた状態になる。
【００１３】
ボンベ１１は、コンロ本体６１の下面に設けられた略円筒状をなす接続口６２に取付けられるもので、図１に示したように、液化ガス１２を封入する本体部材２１と、コンロ本体６１に対して接続するために本体部材２１の上端部に嵌着された接続部材３１と、非使用時に接続部材３１に被せる蓋部材４１とからなる。
【００１４】
本体部材２１は、透明の合成樹脂からなる容器体２２と、該容器体２２の上端の開口部に備えられた弁装置２３と、容器体２２の開口部を気密状態に閉塞するキャップ部材２４とを有する。キャップ部材２４は金属製であり、かしめによる固定で容器体２２と不可分に一体化されている。
【００１５】
容器体２２は、下側部分の方が上側部分に比べて水平方向に大きく形成され、たとえば上から落とした時でも安定して接地できる形状である。また、容器体２２の外周面には、金属製の外装部材２５が被着されている。外装部材２５には、複数個の透視窓２６が形成され、内部に入っている液化ガス１２の残量が一目でわかるようにしてある。透視窓２６は、図示したように縦長の長円形に形成し、その縁には、図１に示した如く、封入する液化ガス１２の適量の最大値を示すように、たとえば「上限」などの表示２７をしておく。
【００１６】
弁装置２３は、コンロ本体６１の接続口６２に対して接続したときにガスを噴出するようにすべく、上方に向けて付勢された上下動可能なノズル部２３ａを有する。すなわち、ボンベ１１を接続口６２に接続すると、ノズル部２３ａが押し下げられてガス１２が噴出する一方、接続口６２から外すと付勢力によってノズル部２３ａが上動してガスの噴出が止まる。この弁装置２３はまた、液化ガス１２の充填もできるように構成されている。
【００１７】
また、弁装置２３のうち容器体２２内に収まる部分には、上記ノズル部２３ａに連通する筒状の保持部２３ｂが形成されている。この保持部２３ｂの内部には、吸い上げ芯２８が下から差し込まれ、垂下状態で保持される。吸い上げ芯２８の長さは、差し込んだときに下端が容器体２２の内底面に当たる長さである。
【００１８】
そして、上記保持部２３ｂの外周面には、吸い上げ芯２８の容器体２２内での動きを規制する規制手段８１としてのコイルばね部材８２が図３に示したように取付けられている。
【００１９】
コイルばね部材８２は、金属製の線状体からなり可撓性を有し、線状体の間に液化ガス１２の流通を許容する大きさの隙間８２ａを有する螺旋状に形成されている。太さは、全体にわたって保持部２３ｂの太さよりも細く、かつ吸い上げ芯２８よりも太く設定し、長さは、上端部を保持部２３ｂに嵌め込んだときに容器体２２内に収まる長さ設定している。
【００２０】
すなわち、コイルばね部材８２の上端部（一端部）は、保持部２３ｂに対する固定部８２ｂであり、その他の部分が、吸い上げ芯２８を取り巻く筒状をなす囲繞部８２ｃある。太さが上記の通り保持部２３ｂの太さよりも細いので、固定部８２ｂの保持部２３ｂに対する固定は強固に行え、衝撃で外れたりすることはない。
【００２１】
コイルばね部材８２は、自らの形態を保持するとともに、たとえ外力を受けて撓んでも、材料弾性、可撓性により元の形態に戻ろうとする。このため、吸い上げ芯２８の動きを規制することができる。なお、上記隙間８２ａは、液化ガス１２の流動が自由に行える適宜の大きさに設定すればよく、たとえコイルばね部材８２の径が吸い上げ芯に密着するような状態であっても、吸い上げ機能に異常が発生することはない。
【００２２】
上記接続部材３１は、本体部材２１の上端部に嵌着されるものである。すなわち、上端面に上記弁装置２３のノズル部２３ａを出す穴部を有した筒状の首部３２と、該首部３２の下端から外周方向に広がるように延設された肩部６３とを有する。首部３２の外周には、接続口６２に螺合するための雄ねじ３２ａが形成されている。また肩部３３は断面逆Ｌ字形に形成され、水平な水平面３３ａと、該水平面３３ａの先端から下方に下がる垂直面３３ｂとを有する。垂直面３３ｂは、容器体２２の上部に形成された段部２２ａに上から嵌合し、周方向に相対回転不可能に結合される。
【００２３】
この肩部３３には、カバー部材３４が取付けられる。カバー部材３４は金属製で、上記水平面３３ａと垂直面３３ｂとを覆う断面Ｌ字形をなすリング状である。このカバー部材３４を有することにより、接続部材３１の肩部３３が衝撃や熱、汚れなどから保護される。また、図示は省略するが、カバー部材３４の上面にはボンベ１１に関する情報、好ましくはボンベ１１の安全に関する情報が表示されている。表示は、適宜の手段で行えるが、たとえば刻印によって行うと、容易には消えない上に、肩部３３が合成樹脂製であっても安っぽい印象を与えないため看者の注意を引くことができる。上記安全に関する情報としては、ボンベ１１が液化ガス１２の使用と充填を繰り返して行うことができるものであるため、たとえば「使用期限」の如き情報が挙げられる。使用期限は、繰り返しの使用による各部材の劣化の可能性などを考慮して、専門的観点から決定される。
【００２４】
このような接続部材３１を本体部材２１に対して嵌着するときには、両者の対向面間には変形部材９１が介装される。変形部材９１は、熱を受けて温度が上がることによって変形を起すもので、全体がバイメタルで形成される。その形状は、接続部材３１の首部３２の内周面に重なる断面逆Ｌ字形をなすリング状であり、熱を受けて所定温度以上になると下側部分が外周方向に広がって、本体部材２１の嵌合状態を解き、本体部材２１を解放するように構成されている。変形部材９１は、接続部材３１に備えられるも、本体部材２１に備えられるも、あるいはいずれにも従属しないものであるもよい。
【００２５】
一方、コンロ本体６１は、図２に示したように、ボンベ１１を接続する上記接続口６２を下方に突出するように有し、内部における接続口６２の上方位置には、ボンベ１１から噴出するガスを、中央部に内蔵されたバーナ６３に向けて噴射する開閉のための開閉器６４が備えられている。開閉器６４は、全閉から全開まで連続的に開閉を行うもので、この開閉を行うための回転可能な操作つまみ６５を有する。
【００２６】
そして、この操作つまみ６５の回転動作に節度をもたせて角度を規制するために、操作つまみ６５の内側には外周面が凹凸に形成された規制ダイヤル部６６が設けられる一方、操作つまみ６５を回転可能に支持する本体側には、側面視Ｌ字形をなし弾性変位可能な規制部材６７が設けられている。規制部材６７の先端部が規制ダイヤル部６６の凹凸に相対的に摺接して、操作つまみ６５の回転角度の微調整を可能にするとともに、設定した回転角度を保持できるようにしている。
【００２７】
また、コンロ本体６１の下面におけるバーナ６３の下側位置に、熱伝導性の良好な金属材料からなる熱伝導板６８が取付けられている。熱伝導板６８は、コンロ本体６１の下面に取付けられる取付け部６８ａを有し、該取付け部６８ａの端には下方に下がる垂設片６８ｂが形成され、この垂設片６８ｂの下端部に、ボンベ１１を抱きかかえるように平面視円弧状をなす接触部６８ｃが形成されている。この熱伝導板６８の存在により、液状のガス１２が気化することに伴って温度が低下して起こる気化不良をなくし、ガス圧を一定にして所望の火力を保つようにすることができる。
【００２８】
このようなコンロ本体６１を支持する支持台７１は、コンロ本体６１の下面を受ける受け部７２を内周部に有した略円筒状であり、この支持台７１の高さは、図２に示した如く、ボンベ１１を接続口６２に接続した時にボンベ１１を宙吊りにする、つまり、接続口６２に接続されたボンベ１１の下面と支持台７１が接地する食卓の上面（接地面）との間に空間ができる高さに設定されている。そしてその高さは、接続口６２に接続されたボンベ１１が接続口６２から脱落した時に弁装置２３のノズル部２３ａが付勢力に従って元の突出位置に戻り、ガスの噴出を停止するのに必要な高さである。
【００２９】
上述のようにコイルばね部材８２を備えたボンベ１１は、コイルばね部材８２が吸い上げ芯２８の動きを規制するので、容器体２２内に液化ガス１２が充填されており、この液化ガス１２が揺れても、それに伴って大きく動くことはない。このため、コンロ５１に対して取付けていない非使用状態において、ボンベ１１がたとえ揺れたり振られたりした場合でも、吸い上げ芯２８が弁装置２３から不測に脱落することはなく、ボンベとしての機能を確保できる。
【００３０】
このことは、ボンベ１１がコンロ５１に対して取付けられている場合においても同様である。
【００３１】
特に、ボンベ１１には、上述のように介装部材９１を備えているので、様々な使用状況のなかで、ボンベ１１の温度が不測に上がってしまった場合に、ボンベ１１の本体部材２１と接続部材３１との間に備えられた介装部材９１が、その下側部分を外周側に反り返らせるように変形し、この結果、本体部材２１は接続部材３１から切り離され自重により落下する。ボンベ１１の落下により、ボンベ１１の本体部材２１に備えられた弁装置２３のノズル部２３ａが上動して、ガス１２の噴出が止まる。落下した本体部材２１は、キャップ部材２４で密閉されているので、ガス１２が漏れることはなく、また、その容器体５２の形態にゆえに、落下した時に転倒することなく安定して接地する。
【００３２】
そして、落下の衝撃で容器体２２の液化ガス１２が揺れても、その揺れで吸い上げ芯２８が動くのをコイルばね部材８２が規制するので、上記のような場合でも、吸い上げ芯２８が不測に脱落することはない。
【００３３】
このように、ボンベ１１は、取り扱いにおいて揺れたり振られたりした場合でも、また、安全のために落下した場合でも、吸い上げ芯２８が脱落してしまうことはなく、たとえ乱暴に扱われても使用可能な状態を確保できる。
【００３４】
また、上述のようにコンロ５１は、火力の操作が簡単であって、一定の火力も持続して得られる上に、不測の事態を回避することもでき、安全性がきわめて高いコンロ５１である。
【００３５】
一方、ボンベ１１には、カバー部材３４が備えられ、ボンベ１１の接続部材３１の一部を保護するとともに、そのカバー部材３４にはボンベ１１に関する安全上必要な情報が付されているので、使用者に注意を喚起できる。
【００３６】
さらに、ボンベ１１は透明の合成樹脂からなる容器体２２を用いて構成されているが、この容器体２２は、外装部材２５で保護されており安全性の高いものである上さらに、外装部材２５が透視窓２６を有しているので、ガス１２の残量が一目で視認できる。この結果、必要に応じてガス１２の補充ができるとともに、必要以上にガス１２が充填された不適切な使用状態がないようにすることができる。
【００３７】
以下、ボンベ１１における規制手段８１の他の例を説明する。この説明において、上記の構成と同一の部位については同一の符号を付して詳しい説明を省略する。
【００３８】
図４に示した例は、規制手段８１が筒状の管部材８３で構成されたものである。管部材８３は、合成樹脂や金属などの適宜の材料で形成され、上端部には、保持部２３ｂに嵌合する固定部８３ｂ、その下には、吸い上げ芯２８の周囲を囲繞する囲繞部８３ｃを有する。
【００３９】
そして、囲繞部８３ｃには、液化ガス１２の流通を許容する隙間としての複数の流通穴８３ａが形成されている。流通穴８３ａは円形で、囲繞部８３ｃの長さ方向に全体にわたって配置している。特に、液化ガス１２を充填する上限位置に相当する部位よりも上側に設ける。これにより、囲繞部８３ｃと吸い上げ芯２８との間で毛細管現象が起こっても、液化ガス１２の液面より上の位置で、その毛細管現象による吸い上げを遮断することができ、吸い上げ芯２８による吸い上げ機能に異常を及ぼすことはない。なお、囲繞部８３ｃの内径、すなわち囲繞部８３ｃと吸い上げ芯２８との隙間（クリアランス）の大きさは適宜設定されるが、上記の隙間（クリアランス）は囲繞部８３ｃと吸い上げ芯２８との間で毛細管現象を発生させない大きさであるのが好ましい。
【００４０】
図５に示した例は、図４に示した例と同様に、規制手段８１が筒状の管部材８３で構成されたものであって、相違点のみを説明すると、流通穴８３ａの形状が縦長である例である。
【００４１】
流通穴８３ａは、囲繞部８３ｃの長さ方向の略全体にわたって、周方向に複数本形成されている。この場合も、上記の図４に示した規制手段８１のような作用効果を得られる。
【００４２】
図６に示した例は、規制手段８１が線状体で構成された規制部材８４である。すなわち、規制部材８４は、金属製の線状体を曲げて形成したもので、上端部には、保持部２３ｂに対してはめ込む固定部８４ｂが形成され、この固定部の一部から下に伸ばした垂下部８４ｄが設けられ、この垂下部８４ｄの下端には、吸い上げ芯２８を取り巻く環状の囲繞部８４ｃが形成されている。囲繞部８４ｃの高さは、充填する液化ガス１２の上限値等の条件に基づいて適宜設定される。囲繞部８４ｃは複数であるもよい。
【００４３】
図７に示した例は、規制手段８１が、弁装置２３ではなく容器体２２側に取付けられる規制部材８５で構成された例である。すなわち、規制部材８５は、容器体２２の上端部に嵌合させて取付けられる。規制部材８５は、容器体２２の上端部の内周面に形成された凹部２２ｂに嵌合する環状の嵌合部８５ｂを有し、この嵌合部８５ｂは弁装置２３の取付けによって押さえ込まれて容器体２２に保持される。この嵌合部８５ｂの一部から、下に延びる垂下部８５ｄが延設され、この垂下部８５ｄの下端に、吸い上げ芯２８を囲繞する環状の囲繞部８５ｃが形成されている。この囲繞部８５ｃも、図６に示した例の場合と同様に適宜高さに設定される。
【００４４】
この発明の構成と上記一実施例の構成との対応において、  
この発明の容器は、上記一実施例の本体部材２１に対応するも、  
この発明は、上記一実施例の構成のみに限定されるものではない。  
たとえば、規制手段を吸い上げ芯自体に取付けることもできる。
【図面の簡単な説明】
【００４５】
【図１】携帯コンロ用ガスボンベの片側断面図。
【図２】携帯コンロの断面図。
【図３】携帯コンロ用ガスボンベの断面図。
【図４】他の例に係る携帯コンロ用ガスボンベの断面図。
【図５】他の例に係る携帯コンロ用ガスボンベの断面図。
【図６】他の例に係る携帯コンロ用ガスボンベの断面図。
【図７】他の例に係る携帯コンロ用ガスボンベの断面図。
【図８】従来例の断面図。
【符号の説明】
【００４６】
１１…携帯コンロ用ガスボンベ
１２…液化ガス
２１…本体部材
２３…弁装置
２３ｂ…保持部
２８…吸い上げ芯
８１…規制手段
８２…コイルばね部材
８２ａ…隙間
８２ｃ…囲繞部
８３…管部材
８３ａ…流通穴
８３ｃ…囲繞部
８４…規制部材
８４ｃ…囲繞部
８５…規制部材
８５ｃ…囲繞部
【図１】
2008261381.tif 000003
【図２】
2008261381.tif 000004
【図３】
2008261381.tif 000005
【図４】
2008261381.tif 000006
【図５】
2008261381.tif 000007
【図６】
2008261381.tif 000008
【図７】
2008261381.tif 000009
【図８】
2008261381.tif 000010